(57)【要約】【課題】テレビ番組等の録画を行う番組記録装置において、機械の操作に慣れない利用者に対しても、番組の録画予約操作および録画した番組の視聴行為を、簡便かつ直感的そして柔軟に行うことを可能とする方法およびシステムを提供すること。【解決手段】紙あるいはシートの上の位置情報と番組の情報をあらかじめ関連付けておき、利用者は番組表とデジタルペンを用いて番組指定を入力する。ペンによる入力情報は番組情報に変換され、番組の録画予約が実行される。録画済の番組リストや各種コンテンツのリストを印刷したものを使えば、番組の再生やコンテンツの管理等も簡便に行うことができる。【選択図】図１
2006203381.tif 000002
【特許請求の範囲】
【請求項１】
映像を含む番組コンテンツを格納するための記憶部と、番組情報が印刷される紙面上の位置を指定する入力を受け付ける通信部と、該記憶部および通信部と接続される制御部とを有するビデオレコーダであって、
前記制御部は、前記通信部から入手される紙面上の位置を指定する入力に基づいて、予め定められた紙面上の位置と番組ＩＤとの対応関係を参照して特定される番組ＩＤを決定し、前記決定された番組ＩＤを有する番組の録画を予約してチューナを介して該番組コンテンツを入手して前記記憶部に格納する録画を行い、または、前記特定された番組コンテンツを記憶部に予め格納された複数の番組コンテンツから選択して映像表示装置に出力することを特徴とするビデオレコーダ。
【請求項２】
請求項１記載のビデオレコーダであって、前記通信部を介して前記予め定められた紙面上の位置と番組ＩＤとの対応関係を格納する番組情報センタサーバにアクセスし、前記指定された紙面上の位置をもとに特定される番組ＩＤを該番組情報センタサーバから入手することを特徴とするビデオレコーダ。
【請求項３】
請求項１記載のビデオレコーダであって、前記記憶部に、前記予め定められた紙面上の位置と番組情報との対応関係を格納することを特徴とするビデオレコーダ。
【請求項４】
請求項１乃至３のいずれかに記載のビデオレコーダであって、前記通信部は、前記番組情報が印刷される紙面上で指定される位置の軌跡を示す入力を受け付け、前記制御部は、前記軌跡を示す入力に基づいて該軌跡に予め割り当てられた操作コマンドを特定し、前記指定された位置と前記特定された操作コマンドとに基づいて、前記紙面上の位置と番組ＩＤとの対応関係を参照または、前記録画もしくは番組コンテンツの出力を行うことを特徴とするビデオレコーダ。
【請求項５】
請求項４記載のビデオレコーダであって、前記操作コマンドは、複数の番組をまとめて選択する操作コマンド、放送予定時刻に関わらず該番組の放送終了まで録画することを指示する操作コマンド、該軌跡で囲まれた位置に番組情報が印刷された番組を選択する操作コマンド、複数の番組の視聴順序を指定する操作コマンド、過去の入力のいずれかを無効化する操作コマンド、番組コンテンツの再生方法を指定する操作コマンドの少なくともいずれかを含むことを特徴とするビデオレコーダ。
【請求項６】
請求項１または３のいずれか記載のビデオレコーダであって、前記記憶部にユーザごとの好みを示す情報を格納し、該ユーザの好みに合わせた番組を前記番組情報から選択し、該選択した番組と前記紙面上の位置との対応関係を作成してユーザごとの前記対応関係を前記記憶部に格納し、前記ユーザごとの対応関係に基づく番組表を紙面に印刷するために出力することを特徴とするビデオレコーダ。
【請求項７】
（請求項７−１２は請求項１−６に対応する方法クレーム）
記憶部と、入力を受け付けるための通信部と、該記憶部及び通信部に接続される制御部とを有するビデオレコーダにおける番組コンテンツ管理方法であって、
前記通信部において、番組情報が印刷される紙面上の位置を指定する入力を受け付け、
前記制御部において、前記通信部から入手される紙面上の位置を指定する入力に基づいて、予め定められた紙面上の位置と番組ＩＤとの対応関係を参照して特定される番組ＩＤを決定し、前記決定された番組ＩＤを有する番組の録画を予約してチューナを介して該番組コンテンツを入手して前記記憶部に格納する録画を行い、または、前記特定された番組コンテンツを記憶部に予め格納された複数の番組コンテンツから選択して映像表示部に出力することを特徴とする番組コンテンツ管理方法。
【請求項８】
請求項７記載の番組コンテンツ管理方法であって、前記通信部は、前記予め定められた紙面上の位置と番組ＩＤとの対応関係を格納する番組情報センタサーバにアクセスし、前記指定された紙面上の位置をもとに特定される番組ＩＤを該番組情報センタサーバから入手することを特徴とする番組コンテンツ管理方法。
【請求項９】
請求項７記載の番組コンテンツ管理方法であって、前記記憶部に、前記予め定められた紙面上の位置と番組情報との対応関係を格納するステップを有することを特徴とする番組コンテンツ管理方法。
【請求項１０】
請求項７乃至９のいずれかに記載の番組コンテンツ管理方法であって、
前記通信部において、前記番組情報が印刷される紙面上で指定される位置の軌跡を示す入力を受け付け、
前記制御部において、前記軌跡を示す入力に基づいて該軌跡に予め割り当てられた操作コマンドを特定し、前記指定された位置と前記特定された操作コマンドとに基づいて、前記紙面上の位置と番組ＩＤとの対応関係を参照または、前記録画もしくは番組コンテンツの出力を行うことを特徴とする番組コンテンツ管理方法。
【請求項１１】
請求項１０記載の番組コンテンツ管理方法であって、前記操作コマンドは、複数の番組をまとめて選択する操作コマンド、放送予定時刻に関わらず該番組の放送終了まで録画することを指示する操作コマンド、該軌跡で囲まれた位置に番組情報が印刷された番組を選択する操作コマンド、複数の番組の視聴順序を指定する操作コマンド、過去の入力のいずれかを無効化する操作コマンド、番組コンテンツの再生方法を指定する操作コマンドの少なくともいずれかを含むことを特徴とする番組コンテンツ管理方法。
【請求項１２】
請求項７または９のいずれかに記載の番組コンテンツ管理方法であって、前記記憶部にユーザごとの好みを示す情報を格納すステップと、
前記制御部において、該ユーザの好みに合わせた番組を前記番組情報から選択し、該選択した番組と前記紙面上の位置との対応関係を作成してユーザごとの前記対応関係を前記記憶部に格納し、前記ユーザごとの対応関係に基づく番組表を紙面に印刷するために出力することを特徴とする番組コンテンツ管理方法。
【請求項１３】
ネットワークを介してビデオレコーダ及び番組データサーバと接続される番組情報センタサーバを用いる番組情報供給方法であって、前記番組データサーバにアクセスして番組ＩＤを含む番組データを取得するステップと、番組情報が印刷される紙面上の位置と番組ＩＤとの対応関係を含む番組情報変換用データを生成しするステップと、該番組情報変換用データを格納するステップと、前記番組情報変換用データに基づいてビデオレコーダから入力される前記紙面上の位置を番組ＩＤに変換して前記ビデオレコーダに出力する、または、前記番組情報変換用データを前記ビデオレコーダに転送するステップとを有することを特徴とする番組情報供給方法。
【請求項１４】
請求項１３記載の番組情報供給方法であって、ビデオレコーダから前記紙面上の位置の軌跡を示す入力を受け付け、前記軌跡を示す入力に基づいて該軌跡に予め割り当てられた操作コマンドを特定し、前記指定された位置から特定される前記番組ＩＤと前記操作コマンドとを前記ビデオレコーダに出力することを特徴とする番組情報供給方法。
【請求項１５】
請求項１４記載の番組情報供給方法であって、前記操作コマンドは、複数の番組をまとめて選択する操作コマンド、放送予定時刻に関わらず該番組の放送終了まで録画することを指示する操作コマンド、該軌跡で囲まれた位置に番組情報が印刷された番組を選択する操作コマンド、複数の番組の視聴順序を指定する操作コマンド、過去の入力のいずれかを無効化する操作コマンド、番組コンテンツの再生方法を指定する操作コマンドの少なくともいずれかを含むことを特徴とする番組情報供給方法。
【請求項１６】
請求項１３乃至１５のいずれかに記載の番組情報供給方法であって、前記生成された番組情報変換用データに基づいて番組表を作成し、該番組表の印刷データを出力することを特徴とする番組情報供給方法。
【請求項１７】
請求項１６記載の番組情報供給方法であって、前記印刷データにより印刷された番組表は、前記ビデオレコーダを介してユーザが位置を指定することにより番組を特定するための前記紙面として流通されることを特徴とする番組情報供給方法。
【請求項１８】
請求項１７記載の番組情報供給方法であって、前記番組はテレビ放送により提供されて前記ビデオレコーダにおいてそのコンテンツを格納することができる番組であって、前記番組表は、前記番組情報以外に、印刷される紙面上の位置と注文する商品又はサービスとの対応付けが該番組情報センタサーバにおいて格納される商品又はサービスの情報を、前記対応付けられた紙面上の位置に印刷されるものであることを特徴とする番組情報供給方法。
【請求項１９】
請求項１８記載の番組情報供給方法であって、前記ビデオレコーダを介して紙面上の位置を指定する入力を受信し、前記対応関係に基づいて該入力により指定された紙面上の位置が注文する商品またはサービスであると判断された場合には、前記ネットワークを介して該商品又はサービスを提供するための商品サービス提供サーバに前記注文の情報を転送することを特徴とする番組情報供給方法。
【発明の詳細な説明】
【技術分野】
【０００１】
本発明は、記録媒体へテレビジョン番組の放送信号を録画する記録装置に関し、特に、デジタルペンを利用して録画予約・視聴行為を行う記録装置及び記録方法に関する。
【背景技術】
【０００２】
テレビ番組をハードディスクやDVD(Digital Versatile Disk)、あるいはビデオテープに録画し、後から視聴するための番組記録装置が広く利用されている。特定の番組の録画を前もって指定するためには、録画予約の操作が必要である。煩雑な録画予約の操作を簡単にするために、各種の工夫がなされている。
【０００３】
ひとつの例として、Gコードと呼ばれる数字の羅列を利用する方法がある(特許文献1参照)。Gコードとは、録画の日付・チャンネル・番組開始時間・番組の長さの4つの要素を最大8桁の数字に置き換えたもので、この数字を入力することで録画予約が可能となる。利用者がリモコン等の入力手段によりこの数字の列を入力して記録装置に送信すると、記録装置ではこれを復号し、所望の番組が予約される。
【０００４】
また別の例として、昨今EPG(Electric Program Guide:電子番組表)により、録画予約を簡略化する技術が実用化されている(例えば特許文献2参照)。EPGとは、テレビの画面に番組表を表示するシステムであり、電波の隙間を使って番組表データを送出し専用の端末で受信する方式と、テレビにつなげるインターネット端末を利用する方式がある。EPGのデータを元に録画予約ができるビデオデッキなども実用化されている。
【０００５】
さらに、複数の局を同時に録画できるマルチチューナー搭載、番組を記録するための記録媒体の容量増大等により、同時にたくさんの番組を記録しておくことが可能となった。そこで、録画したい番組を選択して録画予約するのではなく、あらかじめキーワードその他の条件によりたくさんの番組を録画しておき、後からその中から見たい番組を選択して視聴するという、新しい視聴スタイルが広まりつつある。つまり、従来のように番組の放送時間に合わせてテレビを見るのではなく、どの番組をどの順番で、どのように見るのかを視聴者が自由に決めることができるようになる。
【０００６】
一方、デジタルペンと呼ばれるペン型入力デバイスが実用化されている。これはペン先の軌跡を電子的に取得して電子計算機に入力させるもので、代表的なものとしてはスウェーデンのAnoto社が開発した「アノトペン」等が知られている(例えば特許文献3参照)。デジタルペンは、キーボードやマウスの利用に慣れていない利用者であっても手軽に使えるという利点があり、電子政府での申請業務やその他の応用が期待されている。
【０００７】
【特許文献１】United States Patent: 5,974,222
【０００８】
【特許文献２】特許公報:特許番号第2,838,892号
【特許文献３】国際公開第01/71473号公報
【特許文献４】国際公開第00/73983号公報
【発明の開示】
【発明が解決しようとする課題】
【０００９】
従来の録画予約方法において、Gコードを用いる方法では、利用者はリモコン等の入力手段により、最大8桁の数字の列を手動で入力する必要がある。一見無意味な数字の列を入力してこれを番組データに変換する手続きは意外と面倒であり、入力ミスも起きやすく録画予約の失敗につながりやすい。また、EPGを用いた録画予約方法は、テレビ(あるいはインターネットに接続されたパーソナルコンピュータや携帯電話)の画面に番組表を表示し、その中から所望の番組を選択することになるが、画面上での番組表表示は検索性に優れる一方、一覧性に限界があり、特に機械の操作に慣れない利用者にとっては使いこなすのが難しいという問題点がある。
さらに、上記のような記録装置の進歩に従い、たくさんの録画した番組の中から自分の見たい番組を探すことが困難になったり、たくさん録画しすぎてどれを見ていいのかわからなくなったりという問題も生じる。
【００１０】
本発明の目的は、機械の操作に慣れない利用者に対しても、番組の録画予約操作および録画した番組の視聴行為を、簡便かつ直感的そして柔軟に行うことを可能とする方法およびシステムを提供することにある。
【課題を解決するための手段】
【００１１】
新聞のテレビ欄の番組紹介や、雑誌の形態で提供されるテレビ番組ガイドが広く利用されている。これら紙媒体によるテレビ番組ガイドは、一覧性・携帯性に優れるため、いつでもどこでもどんな姿勢でも情報を閲覧・参照することができ、非常に便利である。
【００１２】
上記のデジタルペンを利用することにより、これらの紙媒体の利点を活かしながら、録画予約および番組の視聴を簡便かつ直感的そして柔軟に行うための手段を提供することが可能である。
【００１３】
すなわち、あらかじめ紙（あるいはシート。以下「紙」と記す）の上の位置と番組情報とを関連付けておき、記録装置あるいはネットワークを介したサーバ上に対応情報を格納しておく。利用者は、関連付けられた紙とデジタルペンを用いて番組指定を入力する。ペンの軌跡情報はあらかじめ関連付けられた情報に応じて番組情報に変換され、これによって録画または視聴する番組の指定が完了する。ペンによって指定した番組の順序を視聴順序に合わせることにより、利用者は放送された順序に関わらず好きな順番で番組を視聴することができる。さらに、ペンの動きのパターンをあらかじめ録画・視聴方法と関連付けておくことにより、録画方法を指定したり視聴する際の再生順序・再生倍速等を指定したりすることも可能となる。
【００１４】
さらに操作の対象を番組視聴以外に広げ、録画したテレビ番組に加えて音楽ファイル、デジタルカメラやビデオから取り込んだ画像・映像データ、DVD・ビデオ、CD等のメディアに格納されたコンテンツデータ、インターネットを通じて外部より受信するストリーミングデータ等の各種コンテンツを管理するためのツールとして応用することもできる。すなわち、これらのコンテンツの各々を紙の上の位置情報と関連付けておき、デジタルペンを利用してこれらのコンテンツの再生や管理を行うことも可能になる。
【発明の効果】
【００１５】
本発明により、一覧性・携帯性に優れ、いつでもどこでもどんな姿勢でも情報を閲覧・参照することができ、手元に残るため安心であるという紙媒体の特長を活かしながら、機械の操作に慣れない利用者に対しても、番組の録画予約操作、録画した番組の視聴行為および各種コンテンツ管理を、簡便かつ直感的そして柔軟に行うことを可能とする方法およびシステムを提供することができる。
【発明を実施するための最良の形態】
【００１６】
図1に、本発明によって実現されるシステムの概要と大まかな処理の流れを示す。利用者(001)はデジタルペン(010)により、番組情報と関連付けられた番組表(040)をチェックし、録画したい番組を選択する(101)。番組表(040)のペンで指定される位置と番組情報の関連付けはあらかじめ番組情報変換用データ(050)として記憶装置に格納されている。利用者(001)によるペンの軌跡や筆圧・入力時間等のペン入力情報は送信(102)・解析され (103)、番組情報変換用データ(050)を用いて対応する番組情報に変換する(104)。この情報は番組記録装置(020)にて、録画予約や視聴方法の指定に用いられる(105)。映像表示装置(030)は上記指定手順により予約録画された映像、または予め録画されて上記指定手順により視聴用に選択された映像を表示するために用いられる。
【００１７】
ここで、以下本発明の実施例で使用されるデジタルペンの一例として、特許文献3で開示されているデジタルペンについて、図2により説明する。デジタルペン(010)は、この方式に対応した位置検出用のマークがついた用紙(060)と共に用いる。デジタルペンは通信手段(011)、メモリ(012)、プロセッサ(013)、カメラ(014)、電池(015)と筆圧センサ(016)等からなる。通常のインクによるペン先も搭載しているので、このデジタルペンで紙に何か記入すると、その情報は視覚的に残る。このときデジタルペン内部では、紙上に印刷された位置検出用の模様の画像をカメラ(014)により取得する。用紙(060)を拡大してみると(061)、小さなドット(062)が非均質に散りばめられて印刷されている。このドットは仮想的な格子線(063)における交点からある距離だけ上下左右の何れか一方に必ずずらされて印刷されており、このドットを同時に複数個、例えば6×6の範囲で参照し、これら36個のドットの上下左右のずれの値の組み合わせが、広大な平面領域の絶対位置情報を与える仕組みとなっている。つまりデジタルペンに備え付けられたカメラ(014)により上記複数のドットパターンを含む範囲の画像を一定の時間間隔で採取することにより、上記ずれの組み合わせの空間上での位置を特定することが可能となる。本原理の詳細は特許文献4で明らかにされている。また、デジタルペンにはBluetoothやUSB(Universal Serial Bus)等の通信インタフェース(011)を備えており、ペンの軌跡および筆圧等の情報をまとめて、パーソナルコンピュータや携帯電話等の転送装置(064)に送信する。転送装置はインターネット(005)等を通じて、まずPLS(Paper Look-up Service)サーバ(065)と通信を行う。PLSとは、デジタルペンの利用を開始する際に、入力したペンおよび紙とアプリケーションとの関連付けを行うものである。PLSはペンIDと紙IDを受け取り、ペンの認証を行った後、その紙に対応するアプリケーションとマッチングを取り、アプリケーションサーバ(612)のURLを返す。この処理により、記入された用紙に応じたアプリケーションを起動するとともに、ペンの入力データが正しく対応するサーバに送られることになる。PLSはまた、カメラ(014)により採取されたドットパターンから紙面上の座標位置を特定して、この座標をアプリケーションのために出力することができる。
【００１８】
上述の機能は、ドットパターンを管理する専用サーバであるPLSサーバで行われるほか、紙ID、ペンID、入力座標、アプリケーション等を特定するために必要な情報を番組情報センタのサーバ（アプリケーションサーバ）やビデオレコーダなどその他の装置に予め記憶させておけば、毎回PLSサーバにアクセスすることなく電子ペンをアプリケーションのために使うことも可能である。
このデジタルペンを本発明のシステムに適用すれば、利用者がペンにより自由に描いた軌跡により、番組表上の番組指定を自由に行うことができるというメリットがある。そこで、以降このデジタルペン方式を適用した場合での実施例を説明する。もちろん、本発明はこの方式のデジタルペンに限定されるものではなく、利用者のペン入力により番組表上の位置が特定され、それに応じて番組指定が対応付けられるものであれば、別な方式の入力手段であっても問題はない。
【００１９】
次に図3および図4により、本発明によって実現されるシステムおよびサービスにおける、ペンによる番組指定方法の例を説明する。
図3では、番組表(070)から主に単一の番組を選択する方法（コマンド）のいくつかの例を示す。方法(A)は、対応する番組のそれぞれにチェックボックス(071)が印刷されていると仮定した場合、選択したい番組のチェックボックスに072のようにチェックする方法である。この方法は、選択したい番組を確実に選択できる一方、番組ガイドを印刷する際にチェックボックスも一緒に印刷する必要があり、これまでの紙の番組表のレイアウトを変える必要が生じる。方法(B)は、073のように、番組情報の上を大きくチェックする方法である。この方法は、比較的簡単に番組の指定ができる一方、特に短時間の番組がたくさん連続している際等に、どの番組を指定したのかがわかりにくいという問題点がある。方法(C)は、074のように番組欄の枠を線で囲む方法である。この方法は、どの番組を選択したかが認識しやすく、図4でも説明する同じ時間帯やチャンネルの番組をまとめて指定する際に便利である。方法(D)の、丸(075)をつける方法も、利用者にとって自然に番組の選択ができ、まとめて指定する際にも便利である。方法(E)は、選択する番組の時間帯に矢印(076)をつける方法である。これは連続する番組をまとめて選択する際や、図4で説明するような複数の番組の視聴順序を指定したりする際に使いやすい。なお、番組選択の取り消し方法としては、082のようにペンで大きく×をつけることにより選択が取り消され、元の番組選択(075)が無効にされるようにできる。
【００２０】
図4では、番組表(070)から主に複数の番組を選択する方法（コマンド）の例を示す。方法(F)は、丸(077)で囲むことによって、ある時間帯の番組をまとめて指定するものである。同様に、同じチャンネルの番組を続けて指定することも可能である。方法(G)は、録画予約だけでなく視聴の方法も併せて設定する方法である。例えば一枚の番組表で、078→079→080→081の順番に矢印をつけると、その順番に再生されるように制御する等、視聴順序を指定することができる。さらに、例えば080のようならせん状の矢印は早送りとか、081のような矢印を指定すると延長になった場合も最後まで録画するなどというように、録画方法・視聴方法を指定するコマンドをあらかじめペンのジェスチャーに関連付けておくことにより、単に番組を録画するだけではなく、利用者の好みに合わせて視聴方法まで設定することが可能になる。
【００２１】
次に、図5および図6により、図1における番組情報変換用データ(050)の形式と、このデータの作成手段および番組情報の取得手段の例を説明する。
図5は、番組情報変換用データの作成方法の一例である。ネットワーク経由等で取り込まれた番組データ(例えばEPGデータ)(057)は、個別の番組情報(310)の集合体であり、個別の番組情報はさらに、番組ID(311)、チャンネル(312)、開始日時(313)、終了日時(314)と、タイトル・ジャンル・出演者等の番組付加情報(315)からなる。これらの各番組情報を、レイアウトに従って番組表上に配置する(241)(あるいは、現状のテレビ番組ガイドのように、先にレイアウトされている場合もある)。配置された番組配置情報(320)は、番組ガイドの発行号およびページを区別するための紙ID(321)を持ち、対応するx軸およびy軸上(322)に、個別の番組情報が配置される(323)(324)。番組の配置情報から、それぞれの番組がどの紙IDを持つ番組表のどの位置に配置されているかの情報(紙IDと座標データの組(325))を取り出し(242)、元の番組情報と合わせてデータベースに格納する(243)。番組情報変換用データ(050)としては、330に示すように、番組ごとに、元の番組情報＋紙ID(316)＋対角位置(317)を組み合わせた情報が格納される。また、図3および図4で示したようなペン入力によるコマンドが複数種類利用可能な場合には、ペンによるジェスチャーとコマンドの対応付けを表すデータ(334)をあらかじめ格納しておき、後述する番組指定処理の際に利用することもできる。なお、このジェスチャーの対応付けデータは、利用者の癖などに応じて学習・更新していくようにすることも可能である。
【００２２】
次に図6により、作成した番組情報変換用データを用いて、ペン入力データから番組情報に変換する方法の例を説明する。図3や図4に示したような方法により入力されたペンデータは、紙ID(326)、ペン位置(327)、筆圧(328)の組がそれぞれ時系列に並んだストロークデータが、さらに時系列にまとめられたものとして得られる。得られた座標情報をもとに、番組情報変換用データ(050)の各番組データ(320)の座標と比較してデータベース検索を行い(253)、対応する番組情報を取得する(254)。例えば番組の枠(324)に対して、074のように四角で囲んだペン入力データが得られた場合、ペンで囲んだ範囲の座標情報(例えば、Xmin: x軸最小値、Xmax: x軸最大値、Xcenter: x軸中心値、Ymin: y軸最小値、Ymax: y軸最大値、Ycenter: y軸中心値)(332)と番組枠の座標情報((Xs,Ys): 左上座標、(Xe,Ye): 右上座標)(333)とを比較し、四角で囲んだ範囲にどの番組データが含まれているかを探し出す。また、ペン入力データ解析(252)の際に、座標とともにジェスチャーを認識し、あらかじめ定められたジェスチャーのルール(334)に対応した視聴方法(例えば再生倍速設定、延長処理等)(318)も指定することもできる。ペン入力データから変換された番組データ(番組ID、チャンネル、開始日時、終了日時、番組付加情報、録画(視聴)方法詳細)(331)は、時系列にまとめられて番組記録装置に送信される。
【実施例１】
【００２３】
以下、本発明によって実現されるシステムの第一の例を、図7から図11により説明する。
図7は、本発明の実施例1のシステム構成図である。システムの構成は、デジタルペン(010)、本システムに対応したビデオレコーダ(ハードディスクやDVD等の媒体に番組データを保存する機能を持つ番組記録装置)(021)、テレビやモニタ等の映像表示装置(030)、本システムに対応したテレビ番組ガイド(041)と、本サービスを提供・統括するアノト番組情報センター(004)において動作するサーバ(051)・番組情報変換用データ(050)からなる。
【００２４】
本サービスの処理の流れは以下のようになる。(A)番組情報センタ(004)では、あらかじめ、本システムで用いるデジタルペン(010)に対応した用紙にテレビ番組ガイド情報を印刷し、テレビ番組ガイド(040)の各ページの座標と番組情報との関連付けを行い、関連付け情報を番組情報変換用データ(050)として番組情報センタサーバ(051)に格納する(111)。(B)そして、その番組ガイドを流通させる(112)。(C)利用者(001)は、テレビ番組ガイド(041)を入手し、自宅(002)または出先等(003)にてこれを閲覧し、録画したい番組が見つかったら、デジタルペン(010)を用いて、該当する番組欄に記入することで番組を選択する(113)。なお、この際の番組選択方法の例については、図3および図4にて説明したとおりである。(D)番組選択のためのペン入力のデータはデジタルペン内部に格納され、適当なタイミングで本システムに対応したビデオレコーダ(021)に転送される(114)。このときの通信手段としては、Bluetoothのような無線通信や、USB等で直接接続するなどの方法がある。(E)ビデオレコーダは、インターネット(005)を通じて番組情報センター(004)のサーバ(051)にアクセスし、デジタルペンの入力情報を送信する(115)。(F)サーバではペン入力情報を解析し(116)、必要に応じてペンジェスチャー/コマンド対応データ(334)を参照してコマンドを特定し、番組情報変換用データ(050)を参照して対応する番組情報に変換し、(G)ビデオレコーダ(021)に送信する(117)。(H)得られた番組情報に基づき、ビデオレコーダでは録画予約を完了する(118)。これらの処理によって、利用者(001)は紙のガイドから番組を選択してビデオレコーダに送信するだけで、所望の番組の録画予約を完了させることができる。Gコードを使った予約方法とは異なり、自然な操作で番組選択が可能となるとともに、利用者は気になる番組を複数まとめて選択することができる。
【００２５】
図8は、本システムで利用されるビデオレコーダの構成図である。ビデオレコーダ(021)は、映像・音声、および録画予約や視聴番組選択のための制御データ等を格納するためのハードディスク(022)やDVDディスク(023)・DVDドライブ(024)といった記録媒体、制御部(025)、記憶媒体に格納する映像等を入力するための映像信号をアンテナから受信するチューナー(026)、テレビやモニタ等の映像表示装置を制御する映像表示部(027)、デジタルペンなどの入力装置やサーバと接続するための通信手段(028)からなる。テレビやモニタ等の映像表示装置は、ビデオレコーダ(021)と一体となった構成でも、別装置となる構成でも、どちらでもよい。
【００２６】
図9は、本発明の実施例1におけるサーバの構成図である。図2で説明したPLSサーバ(612)により、ビデオレコーダ(021)とサーバ(051)の接続が確立され、デジタルペンの入力情報がサーバ(051)に送られるようになる。サーバ(051)は、番組情報変換処理部(053)やペン入力情報解析部(056)等を含む処理部(052)、番組情報変換用データ(050)のほかに、ユーザデータ・ログデータ等を格納する格納部(054)と、インターネット(050)等を介してビデオレコーダと通信する通信インタフェース(055)を備える。
【００２７】
次に、図10と図11により、本システムの処理の流れを簡単に説明する。
図10は、本システムでのテレビ番組ガイド発行の手順を示す。ここでは番組情報センタのサーバの処理(120)を順番に示す。開始(121)するとまず、ネットワーク経由でEPGサーバなど、番組情報の入手元となるサーバと連動するなどして番組情報を取得し(122)、これに基づき番組表上の位置と番組情報を関連付けるための番組情報変換用データを、例えば図5で説明したような手順により作成する(123)。作成した番組情報変換用データを格納し(124)、テレビ番組ガイドとして印刷した後これを発行する(125)。発行したテレビ番組ガイドは従来の番組ガイド雑誌と同様に書店で販売したり、新聞の折込に挟んだりして利用者に流通させる。
【００２８】
図11は、利用者の手元にテレビ番組ガイドが流通した後の、録画予約手順の流れ図である。利用者の処理(130)、ビデオレコーダの処理(140)、サーバの処理(150)に大きく分かれる。利用者(001)は、利用者の自宅(002)あるいは出先等(003)でテレビ番組ガイド(041)を閲覧し(132)、デジタルペン(010)を用いて、気になる番組を図3や図4で示した方法等により選択する(133)。好きなだけ番組を選択したら、デジタルペンをBluetooth等の手段によりビデオレコーダ(021)と接続し、ペン入力情報を転送する(135)。ビデオレコーダ(021)では、ペンからの信号を受信すると(144)、まず図2で示したPLSとの通信により接続先サーバ(051)を確定した後、インターネット(005)を通じて番組情報センター(004)にあるサーバ(051)に対してペン入力情報を送信する(145)。サーバではこれを受信し(154)、例えば図6で説明したような手順により、ペンの軌跡データを解析 (155)、必要に応じてペンジェスチャをコマンドに変換し、対応する番組情報の取得(156)を行い、番組情報をレコーダに送信する(157)。レコーダはサーバより番組情報を受信し(146)、これに基づき録画予約を完了する(147)。処理の結果は、映像表示部(027)を介して出力され、映像表示装置(030)等により利用者に提示される(148)。利用者が処理結果を確認して(136)、一連の処理が終了する(137)。
【実施例２】
【００２９】
次に、本発明によって実現されるシステムの第二の例を、図12から図15により説明する。本実施例では、番組データをビデオレコーダに予めダウンロードしておくため、録画予約や視聴番組の選択のたびに番組情報センタのサーバにアクセスする必要がなくなるほか、ビデオレコーダにおいて各ユーザの好みにカスタマイズされた番組表や録画済番組リストを出力することも可能になる。
【００３０】
図12は、本発明の実施例2のシステム構成図である。システムの構成は、デジタルペン(010)、本システムに対応したビデオレコーダ(021)、テレビやモニタ等の映像表示装置(030)、ビデオレコーダ(021)に接続された番組情報変換用データ(050)を格納する記憶装置とプリンタ(029)、そしてこのプリンタにより印刷されるテレビ番組表(042)からなる。番組情報変換用データ(050)は、ビデオレコーダ(021)に内蔵され利用者(001)の自宅内(002)にあっても良いし、あるいはネットワークを通じてアクセスできる自宅外の別の場所にあっても良い。ビデオレコーダ(021)にはプリンタ(029)が内蔵されていても良いし、外付けで接続されていても良い。また、ビデオレコーダ(021)として独立した製品となっている必要はなく、チューナーと接続され、ハードディスクやDVDドライブ等の記録媒体と接続されるパーソナルコンピュータ等の装置の形をしていても良い。
【００３１】
本サービスの処理の流れは以下のようになる。(A)ビデオレコーダ(021)は通信等の手段により番組情報を取得し、番組情報の関連付けを行って、(B)白紙(045)にデジタルペンの位置検出用のマークとともに、番組表を印刷する(162)。あるいは初めから位置検出用のマークが印刷された、白紙のデジタルペーパー用紙に番組表を印刷してもよい。(C)利用者(001)は、図7と同様、印刷した番組表(042)にデジタルペン(010)を用いて記入することにより番組を選択する(163)。(D)番組選択のためのペン入力データはデジタルペン内部に格納され、適当なタイミングにて本システムに対応したビデオレコーダ(021)に転送される(164)。(E)ビデオレコーダは、ペン入力情報を解析し(165)、必要に応じてペンジェスチャー/コマンド対応データ(334)を参照してペンジェスチャをコマンドに変換し、番組情報変換用データ(050)を用いて対応する番組情報に変換し、(F)録画予約を実行する(166)。
【００３２】
この方法によれば、番組表は自分で印刷するので常に最新の番組情報を入手できることに加え、利用者の好みに応じてカスタマイズした番組表を作成することができる。例えば、気になる俳優の出演する番組は番組表で目立つように印刷されるとか、必ず見る番組はあらかじめ選択された状態で印刷されるとか、逆に絶対に見ないジャンルやチャンネルの情報は番組表に出てこないようにする等、見やすく選択しやすい番組表を作ることができる。また、家族複数人で同じレコーダを利用する場合、各自の好みに応じた番組表を印刷し、これによって番組を選択することにより、どの番組を誰が予約したのかもわかるようになり、録画した番組の参照・検索にも役に立つ。各自の好みに応じた番組表を印刷するためには、各自の好みや利用履歴をユーザデータ(054)として格納しておき、ユーザごとに異なる番組抽出を行い、ユーザごとの番組情報変換用データ(050)を生成するようにするとよい。
【００３３】
図13は、本システムにおける番組表作成の手順を示す。利用者(001)が番組表作成を開始すると(172)、ビデオレコーダ(201)はネットワーク等の手段により番組データを取り込み(185)、番組表カスタマイズ画面を提示する(186)。利用者はこれを用いてカスタマイズ作業を実行し(173)、カスタマイズ情報を送信する(174)。これに基づき、例えば図5に示すような方法によって番組表(042)および番組情報変換用データ(050)を作成・格納し(187,188)、紙(045)に番組表を印刷する(189)。利用者は印刷された番組表(042)を入手し(176)、番組予約処理に移行する。なお、186から174のカスタマイズ処理は本システムにて必須ではなく、カスタマイズしない通常の番組表を印刷することも可能である。
【００３４】
図14は、本システムにおける番組予約処理手順を示す。処理手順は図11の手順とほぼ同様であるが、ビデオレコーダの側で番組情報に変換するところが異なるところである。もちろん、図13の番組表作成手順において作成された番組情報変換用データ(050)をサーバに送信し、番組情報の変換をサーバ側で行うという構成も考えられる。
【００３５】
図15は、図13のステップから174でカスタマイズを行う際の、利用者に対するカスタマイズ設定用画面例である。このような画面が、映像表示部(027)を介して出力され、テレビあるいはパーソナルコンピュータのモニタ等の表示装置に表示される。カスタマイズ設定用画面(090)には例えば、利用者の興味のある分野を設定する欄(091)や逆に絶対見ない分野を設定する欄(092)がある。これらの手順により設定された内容はユーザデータ(054)としてビデオレコーダの記憶装置に保存されており、編集ボタン(093,094)により変更が可能である。また、番組表を印刷する日付(範囲)も設定する欄(095)があり、今日の分、明日の分とか1週間分の番組表を印刷することも可能である。実行ボタン(096)を押すと印刷が実行される。091で設定した興味のある分野に属する番組は目立つように印刷されたり、092で設定した「絶対見ない分野」に属する番組は印刷されないようにできる。
【実施例３】
【００３６】
次に、本発明によって実現されるシステムの第三の例を、図16および図17により説明する。
図16は、本発明の実施例3のシステム構成図である。この例では、実施例1と同様に、番組表は外から与えられるが、雑誌などの形で流通するのではなく、番組宣伝としてカードやチラシ等の形で配られることを想定している。もちろん雑誌に付属する形でも流通は可能である。
【００３７】
図17は、番組宣伝用カードの例を示す。このカード(300)では例えば、あらすじや出演者、放送時刻等といった番組情報(301)と共に、予約指定方法の設定欄(302)、会員登録欄(303)、リンク欄(304)やメール欄(305)といった機能を有する。予約指定方法設定欄(302)では、初回だけ予約するとか、初回から最終回までまとめて予約するとかの操作がカードをチェックするだけで実行できるとともに、格納先の指定やシリーズDVDの作成等も設定することができる。303では、番組のファンクラブ的な会員登録を行う欄である。どの番組が録画・視聴されたかのログを取ることにより、全部の回を視聴した視聴者にはプレゼントを贈るといったサービスが可能となる。これにより視聴率をアップできるといった効果に加え、番組制作者やスポンサーは視聴者層の把握や意見の募集を容易にできるようになり、双方向の番組作りにつなげることができる。デジタルペンのWebリンク機能やメール送信機能を利用することにより、304や305のように公式サイトへの誘導や、口コミメールの送信などにもつなげることができる。
【実施例４】
【００３８】
次に、本発明によって実現されるシステムの第四の例を、図18により説明する。図18は、本発明の実施例4のシステム構成図である。構成としては実施例2と類似しているが、デジタルペンを使う代わりに、デジタルカメラ機能を備えた端末(例えば携帯電話やバーコードリーダ)により番組を指定するものである。番組表として印刷された紙には、位置を特定するためのマークがつけられている。このマークは、人間の目に見える形か目に見えない形かに関わらず、カメラにより紙上の位置を認識するためのものである。処理の流れは以下のようになる。(A)ビデオレコーダ(021)は通信等の手段により番組情報を取得し、番組情報の関連付けを行って、白紙あるいはあらかじめ位置特定用マークの印刷された紙(045)に番組表を印刷する(232)。(C)利用者(001)は、印刷した番組表(042)にカメラ付き端末(017)を用いて撮影することにより番組を選択する(233)。(D)入力された情報は、端末からビデオレコーダ(021)に転送される(234)。(E)ビデオレコーダは、入力情報を解析し(235)、番組情報変換用データ(050)を用いて対応する番組情報に変換し、(F)さらに録画予約を実行する(236)。ビデオレコーダ(021)の代わりに、チューナーに接続されたパーソナルコンピュータおよびプリンタ(029)の組み合わせでも、同様の処理が可能である。
【００３９】
この方法によれば、デジタルペンといった特殊な機器を使わなくても、利用者の身近にある機器を用いて番組の録画予約や視聴方法の設定を行うことが可能となる。
【実施例５】
【００４０】
次に、本発明によって実現されるシステムの第五の例を、図19により説明する。図19は、本発明の実施例5のシステム構成図である。構成としては実施例2とほぼ同様であるが、この例では、これから録画する番組を指定するのではなく、すでにレコーダ内に録画された番組のリストを出力し、これを見る番組と視聴方法を指定するものである。処理の流れは以下のようになる。(A)ビデオレコーダ(021)は記憶部に格納された録画済みの番組の中から、リストに載せる番組情報を選択し、選択された番組情報と番組表上の印刷位置との関連付けを行って(221)番組情報変換用データ(050)を生成して格納し、紙(045)に位置検出用のマークとともに番組表を印刷する(222)。実施例2と同様に、位置検出用のマークが印刷されたデジタルペン用の白紙を用いてもよい。(C)利用者(001)は、印刷した番組リスト(044)にデジタルペン(010)を用いて記入することにより(図3や図4で説明したような方法を用いる)、見る番組とその視聴方法を設定する(223)。(D)ペン入力データはデジタルペン内部に格納され、適当なタイミングにて本システムに対応したビデオレコーダ(021)に転送される(224)。(E)ビデオレコーダは、ペン入力情報を解析し(225)、番組情報変換用データ(050)を用いて対応する番組情報に変換し、(F)番組再生を実行する(226)。このとき、印刷する番組リストは日付別やジャンル別に印刷したり、まだ見ていない番組だけを選んで印刷したりする等、きめ細かい設定が可能である。
【００４１】
これにより、利用者はたくさん録り貯めた番組を見失ったり、どれから見ていいのかわからないといった問題から開放され、簡便かつ柔軟に番組の視聴を行うことが可能となる。
【実施例６】
【００４２】
図20により、本発明によって実現されるシステムの第六の例を説明する。この実施例は、実施例5をさらに発展させ、選択の対象をテレビ番組以外に広げたものである。
図20は、本発明の実施例6のシステム構成図である。本システムでは、視聴(再生)対象はテレビ番組だけでなく、自宅の内外にある様々な種類のコンテンツを扱う。例えば、録画したテレビ番組に加え、格納済みの音楽ファイル、デジタルカメラやビデオから取り込んだ画像・映像データ等といったコンテンツ蓄積データ(033)、DVDやビデオ、CD等のメディア(037)に格納されたコンテンツデータ、インターネット(050)を通じて外部サーバ(035)より受信するストリーミングデータ等、様々な種類のコンテンツをホームサーバ(031)にて管理する。処理の流れは以下のようになる。(A)ホームサーバ(031)はローカルのコンテンツ蓄積データ(033)およびメディア内のコンテンツデータ(037)、さらに外部にあるコンテンツ蓄積データ(034)を、必要に応じてカスタマイズ・フィルタリングを行った後メディアリストを作成する。このとき、コンテンツと紙上の位置情報との関連付けを行う(261)。(B)コンテンツリストは、紙(045)に印刷される(262)。(C)利用者(001)は、印刷したコンテンツリスト(046)にデジタルペン(010)を用いて記入することにより(図3や図4で説明したような方法を用いる)、どのコンテンツをどのような順番で、またどのような方法で再生するかを設定する(263)。(D)ペン入力データはデジタルペン内部に格納され、適当なタイミングにてホームサーバ(031)に転送される(264)。(E)ホームサーバは、ペン入力情報を解析し(265)、必要に応じてペンジェスチャー/コマンド対応データ(334)を参照してコマンドを特定して、コンテンツ情報変換用データ(050)を用いて対応するコンテンツを取り出し、(F)映像表示装置(030)や音響出力装置(032)を用いて再生を行う(266)。
【００４３】
これにより、大量に蓄積され管理が煩雑な、様々な種類のコンテンツを一括して扱うことができるとともに、機器に不慣れな利用者であっても、簡便かつ柔軟にコンテンツを楽しむことができる。
【実施例７】
【００４４】
図21により、本発明によって実現されるシステムの第七の例を説明する。この実施例は、テレビ番組予約の機能に、通信販売等の発注機能を組み合わせたものである。
図21は、本発明の実施例7のシステム構成図である。このシステムでは、実施例1と同様に、テレビ番組ガイド(041)を利用したモデルであるが、実施例2のような番組表を利用者が印刷するモデルにも適用が可能である。処理の流れは以下のようになる。(A)サーバ(051)にて番組情報変換用データ(050)の関連付けを行う際に、番組情報だけでなく各ページに印刷する広告情報や通信販売の商品情報についても、ページ内の位置情報との関連付けを行う(271)。(B)関連付けおよび番組ガイドの印刷を行い、利用者に対して流通させる(272)。(C)利用者は、テレビ番組ガイド(041)とデジタルペン(010)を用いて、これまでの例と同様、番組および商品・広告のチェックを行う(273)。(D)ペン入力データはデジタルペン内部に格納され、適当なタイミングにてビデオレコーダ(021)に転送される(274)。(E)ビデオレコーダはインターネット(005)等の回線を通じてサーバ(051)に対してペン入力情報を送信する(275)。(F)サーバ(051)では受け取ったペンデータを解析し(276)、あらかじめ決められた入力ルールおよび番組情報変換用データ(050)を用いて、各入力がどの番組の録画予約なのか、あるいはどの商品に対する注文なのか等の判定を行う。(G)ペン入力が商品の注文に対応するものだった場合は、通販業者のサーバ(038)に対して注文情報の送信を行う(277)。(H)ペン入力が番組の予約に対応するものだった場合は、ビデオレコーダ(021)に対して番組情報を返信する(278)。(J)ビデオレコーダでは受け取った情報を元に、録画の予約処理を完了させる(279)。
【００４５】
これにより、利用者はテレビ番組をチェックするのと同じプラットフォームにおいて、気軽に簡単な作業で通信販売の発注を行うことができるため、利用者の利便性が増す。スポンサーにとっては、ある特定の番組に興味を持つ顧客層をターゲットにした広告を打つ等、広告の効果を上げることが可能となる。また、番組情報変換サーバにおけるログデータと連携することで、購買行動と視聴行動とを結びつけた顧客管理に結びつけることも可能であり、その応用範囲は広い。
【産業上の利用可能性】
【００４６】
使い勝手が向上したビデオレコーダを提供することができるとともに、大量に録り貯めた番組の視聴やコンテンツ管理を簡略化するためのサービス・システムを利用者に対して提供することができる。
また、テレビ番組の製作者やスポンサーに対しては、広告や通信販売等のビジネスに展開するためのプラットフォームを提供することができるのに加えて、番組がどのように視聴されているのか等の調査や視聴者層の把握、さらには双方向の番組作りにもつなげることが可能である。
【図面の簡単な説明】
【００４７】
【図１】システム概要と処理の流れ。
【図２】デジタルペンの原理。
【図３】ペンによる番組指定方法（１）。
【図４】ペンによる番組指定方法（２）。
【図５】番組情報変換用データの作成手順。
【図６】ペン入力データから番組情報への変換手順。
【図７】実施例１のシステム構成。
【図８】実施例１におけるビデオレコーダの構成。
【図９】実施例１におけるサーバの構成。
【図１０】実施例１におけるテレビ番組ガイド発行手順。
【図１１】実施例１における録画予約手順。
【図１２】実施例２のシステム構成。
【図１３】実施例２における番組表作成手順。
【図１４】実施例２における録画予約手順
【図１５】番組表カスタマイズ設定用画面例。
【図１６】実施例３のシステム構成。
【図１７】番組宣伝カードの例。
【図１８】実施例４のシステム構成。
【図１９】実施例５のシステム構成。
【図２０】実施例６のシステム構成。
【図２１】実施例７のシステム構成。
【符号の説明】
【００４８】
001: 利用者，002: 自宅，003: 出先等，004: 番組情報センター，005: インターネット, 010: デジタルペン，011: 通信手段，012: メモリ，013: プロセッサ，014: カメラ，015: 電池，016: 筆圧センサ, 017: デジタルカメラ付き端末, 020: 番組記録装置，021: ビデオレコーダ，022: ハードディスクドライブ，023: DVDメディア，024: DVDドライブ，025: 制御部，026: チューナー，027: 映像表示部，028: 通信インタフェース，029: プリンタ, 030: 映像表示装置, 031: ホームサーバ, 032: 音響出力装置, 033: コンテンツ蓄積データ(ローカル), 034: コンテンツ蓄積データ(サーバ), 035:外部サーバ, 036: メディアドライブ, 037: コンテンツ蓄積メディア, 038: 通販業者サーバ, 040: 番組表，041: テレビ番組ガイド，042: テレビ番組表，043: 番組宣伝カード, 044: 番組リスト, 045: 紙, 046: コンテンツリスト, 050: 番組情報変換用データ，051: サーバ，052: 制御部，053: 番組情報変換処理部，054: ユーザデータ・ログデータ，055: 通信インタフェース, 056: ペン入力情報解析部, 057: 番組データ, 058: ストロークデータ, 060: デジタルペン用紙，061: 用紙の拡大画像，062: ドットパターン，063: 仮想的な格子線，064: 仲介機器，065: PLSサーバ，066: アプリケーションサーバ, 070: 番組表の例，071: 番組表チェックボックス，072〜082: ペンによる番組選択の例, 090: 番組表作成実行画面例, 091: 興味のある分野欄, 092: 絶対見ない分野欄, 093: 編集ボタン, 094: 編集ボタン, 095: 日付範囲設定欄, 096: 実行ボタン, 300: 番組宣伝カード, 301: 番組情報, 302: 予約方法指定欄, 303: 会員登録欄, 304: Webサイトへのリンク欄, 305: メール送信欄, 310: 個別EPGデータ, 311: 番組ID, 312: チャンネル情報, 313: 開始日時, 314: 終了日時, 315: 番組付加情報, 316: 紙ID, 317: 対角位置, 318: 録画(再生)方法詳細, 320: 番組配置情報, 321: 紙ID, 322: 番組配置用枠, 323, 324: 番組枠, 325: 番組枠座標データ, 326: 紙ID, 327: ペン位置, 328: 筆圧データ, 330: 個別番組情報変換用データ, 331: 録画視聴指定用番組情報, 332: ペン入力枠情報, 333: 番組枠情報、334: ペンジェスチャー/コマンド対応データ
101〜105, 111〜118, 120〜125, 130〜137, 140〜148, 150〜157, 161〜166, 170〜176, 180〜189, 190〜197, 200〜208, 211〜218, 221〜226, 231〜236, 241〜243, 251〜254, 261〜266, 271〜279: 処理の流れ。
【図１】
2006203381.tif 000003
【図２】
2006203381.tif 000004
【図３】
2006203381.tif 000005
【図４】
2006203381.tif 000006
【図５】
2006203381.tif 000007
【図６】
2006203381.tif 000008
【図７】
2006203381.tif 000009
【図８】
2006203381.tif 000010
【図９】
2006203381.tif 000011
【図１０】
2006203381.tif 000012
【図１１】
2006203381.tif 000013
【図１２】
2006203381.tif 000014
【図１３】
2006203381.tif 000015
【図１４】
2006203381.tif 000016
【図１５】
2006203381.tif 000017
【図１６】
2006203381.tif 000018
【図１７】
2006203381.tif 000019
【図１８】
2006203381.tif 000020
【図１９】
2006203381.tif 000021
【図２０】
2006203381.tif 000022
【図２１】
2006203381.tif 000023